(57)【要約】【課題】作業工程やコストを増すことなく杭周りのコンクリートのひび割れを防止する。【解決手段】杭１と当該杭１の周りに打設するコンクリート３との間に緩衝部材２を設ける。緩衝部材２としては、非加硫ブチル系ゴムを２〜３ｍｍ程度の厚さのシート状にしたシート材を採用してある。そして、この緩衝部材２をなすシート材を杭１の周りのコンクリート３に埋め込まれる部分に貼り付ける。この結果、緩衝部材２がコンクリート３に発生する温度応力を低減することになるので、コンクリート３へのひび割れを防止することが可能になる。また、杭１の周りを箱抜きして当該杭１を撤去したり、撤去した箱抜き部分に無収縮コンクリートを打ち込みする必要がないので、作業工程やコストを増すことなくコンクリート３へのひび割れを防止できる。【選択図】        図２
2005146576.tif 000002
【特許請求の範囲】
【請求項１】
硬材と当該硬材の周りに打設するコンクリートとの間に緩衝部材を設けたことを特徴とするコンクリート打設構造。
【請求項２】
前記緩衝部材は、硬材の周りを被覆するシート材からなることを特徴とする請求項１に記載のコンクリート打設構造。
【発明の詳細な説明】
【技術分野】
【０００１】
本発明は、硬材をコンクリート内に埋め込む場合のコンクリート打設構造に関するものである。
【背景技術】
【０００２】
例えば地下構造物を構築するにあたり、地盤に貫入したＨ形鋼や角形鋼管などの支保杭の周りにコンクリートを打設して当該コンクリートに支保杭を埋め込む構造が知られている（例えば、特許文献１参照）。
【０００３】
【特許文献１】特開２００２−３７１５７０号公報
【発明の開示】
【発明が解決しようとする課題】
【０００４】
しかしながら、上述のごとく杭をコンクリートに埋め込んだ場合、杭周りのコンクリートにひび割れが発生するという問題がある。このひび割れは、水和熱による温度上昇あるいは温度下降の際に、コンクリートが膨張・収縮する体積変化を杭が拘束するために発生すると考えられる。
【０００５】
そこで、一般的には、杭周りに補強鉄筋とダイヤ筋を配置して、コンクリートの体積変化による応力集中を緩和させているが、ひび割れを防止することは難しい。また、杭周りを箱抜きして杭を撤去した後に無収縮コンクリートなどを打ち込むこともあるが、作業工程が多くなって工期が延びるという問題や、無収縮コンクリートのコストが嵩むなどの問題がある。
【０００６】
本発明は、上記実情に鑑みて、作業工程やコストを増すことなく硬材周りのコンクリートのひび割れを防止することができるコンクリート打設構造を提供することを目的とする。
【課題を解決するための手段】
【０００７】
上記の目的を達成するために、本発明の請求項１に係るコンクリート打設構造は、硬材と当該硬材の周りに打設するコンクリートとの間に緩衝部材を設けたことを特徴とする。
【０００８】
本発明の請求項２に係るコンクリート打設構造は、上記請求項１において、前記緩衝部材は、硬材の周りを被覆するシート材からなることを特徴とする。
【発明の効果】
【０００９】
本発明に係る杭周りのコンクリート打設構造は、硬材と当該硬材の周りに打設するコンクリートとの間に緩衝部材を設けてある。これにより、水和熱による温度上昇あるいは温度下降の際に、コンクリートが膨張・収縮する体積変化を緩衝部材が許容することになる。この結果、コンクリートに発生する温度応力を低減することになるので、コンクリートへのひび割れを防止することができる。また、硬材の周りを箱抜きして当該硬材を撤去したり、撤去した箱抜き部分に無収縮コンクリートを打ち込みする必要がないので、作業工程やコストを極端に増すことなくコンクリートへのひび割れを防止できる。
【発明を実施するための最良の形態】
【００１０】
以下に添付図面を参照して、本発明に係るコンクリート打設構造の好適な実施例を詳細に説明する。なお、この実施例によりこの発明が限定されるものではない。
【実施例】
【００１１】
図１は本発明に係るコンクリート打設構造の実施例を示す横断面図、図２は本発明に係るコンクリート打設構造の実施例を示す縦断面図、図３は本発明に係るコンクリート打設構造の他の実施例を示す縦断面図である。
【００１２】
例えばコンクリート構造物を構築するにあたり、底版、上床版などのスラブコンクリートを打設するときに作業構台や支保工における硬材としての杭（例えばＨ鋼杭などの鋼材）が打設区画に点在する場合がある。この場合、杭の周りにコンクリートを打設し、コンクリートが養生した後に当該コンクリートの面から延出する杭を必要に応じて切断する。すなわち、コンクリート内に杭の一部が埋め込まれることになる。
【００１３】
本実施例におけるコンクリート打設構造は、図１および図２に示すように硬材としての杭１の周りを緩衝部材２で被覆し、この緩衝部材２を介して杭１の周りにコンクリート３を打設してある。これにより、杭１と当該杭１の周りに打設するコンクリート３との間に緩衝部材２が設けられることになる。
【００１４】
緩衝部材２としては、非加硫ブチル系ゴムを２〜３ｍｍ程度の厚さのシート状にしたシート材を採用してある。そして、この緩衝部材２をなすシート材を杭１の周りのコンクリート３に埋め込まれる部分に巻き付ける態様で貼り付ける。このように、緩衝部材２としてシート材を用いることによって、杭１に緩衝部材２を容易に取り付けることが可能になる。また、非加硫ブチル系ゴムは、粘着性があるので、杭１やコンクリート３と密着し、杭１とコンクリート３との間の止水シールとしての効果がある。
【００１５】
また、図２に示すように杭１の周りのコンクリート３に埋め込まれる部分には、突起１ａを設けてある。この突起１ａによって緩衝部材２をなすシート材を係止することになる。この結果、コンクリート３を打設するまでに、杭１に取り付けた緩衝部材２のずれを防ぐことが可能になる。
【００１６】
ところで、上記コンクリート打設構造において、図３に示すように杭１が延出する部分を発泡材などで箱抜きし、コンクリート３を打設した後に発泡材を取り除き、杭１が延出するコンクリート３の面に凹部３ａを形成する。そして、凹部３ａにある杭１を切断して、当該凹部３ａにモルタルなどを充填する構造としてもよい。これにより、凹部３ａに充填したモルタルなどによって杭１の切断部分を隠蔽することが可能になる。
【００１７】
したがって、上述したコンクリート打設構造では、杭１と当該杭１の周りに打設するコンクリート３との間に緩衝部材２を設けてある。これにより、水和熱による温度上昇あるいは温度下降の際に、コンクリート３が膨張・収縮する体積変化を緩衝部材２が許容することになる。この結果、コンクリート３に発生する温度応力を低減することになるので、コンクリート３へのひび割れを防止することが可能になる。
【００１８】
また、従前のように杭１の周りを箱抜きして当該杭１を撤去したり、撤去した箱抜き部分に無収縮コンクリートを打ち込みする必要がないので、作業工程やコストを極端に増すことなくコンクリート３へのひび割れを防止できる。
【産業上の利用可能性】
【００１９】
以上のように、本発明に係るコンクリート打設構造は、硬材をコンクリート内に埋め込む場合に有用であり、特に、作業工程やコストを極端に増すことなく硬材周りのコンクリートのひび割れを防止することに適している。
【図面の簡単な説明】
【００２０】
【図１】本発明に係るコンクリート打設構造の実施例を示す横断面図である。
【図２】本発明に係るコンクリート打設構造の実施例を示す縦断面図である。
【図３】本発明に係るコンクリート打設構造の他の実施例を示す縦断面図である。
【符号の説明】
【００２１】
１    杭（硬材）
１ａ    突起
２    緩衝部材
３    コンクリート
３ａ    凹部
【図１】
2005146576.tif 000003
【図２】
2005146576.tif 000004
【図３】
2005146576.tif 000005